(57)【要約】【課題】足立位側面画像の横倉法の計測における操作性を向上させる。【解決手段】足部を側面側から撮影した足立位側面画像を表示部のモニタ画面に表示させ、操作部からの操作に基づいて、足立位側面画像上に内側種子骨の下縁位置と踵骨隆起端位置とを結ぶ基準補助線、及び、距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置のそれぞれを一端とし基準補助線上の点を他端とする基準補助線に垂直な垂直補助線を描画する。各垂直補助線の基準補助線に沿う方向における順序に基づいて、各垂直補助線がいずれの位置を一端とする垂直補助線であるかを対応付け（ステップＳ３６）、各垂直補助線の長さ、及び、基準補助線の長さに対する各垂直補助線の長さの割合を計測する（ステップＳ３７）。【選択図】図８
2009219764.tif 000002
【特許請求の範囲】
【請求項１】
足部を側面側から撮影した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離の前記線分の長さに対する割合をそれぞれ計測する画像計測装置であって、
前記モニタ画面に表示された足立位側面画像において計測用の補助線を描画する位置を指定するための操作手段と、
前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段と、
前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線及び前記基準補助線の長さに基づいて、前記基準補助線の長さに対する前記各垂直補助線の長さの割合を計測する計測手段と、
を備える画像計測装置。
【請求項２】
前記描画された各垂直補助線のうちいずれか一の垂直補助線が移動された場合に、当該移動後の各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線及び前記基準補助線の長さに基づいて、前記基準補助線の長さに対する前記各垂直補助線の長さの割合を再計測する再計測手段を更に備える、
請求項１に記載の画像計測装置。
【請求項３】
足部を側面側から撮影した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離をそれぞれ計測する画像計測装置であって、
前記モニタ画面に表示された足立位側面画像において計測用の補助線を描画する位置を指定するための操作手段と、
前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段と、
前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線の長さを計測する計測手段と、
を備える画像計測装置。
【請求項４】
前記描画された各垂直補助線のうちいずれか一の垂直補助線が移動された場合に、当該移動後の各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線の長さを再計測する再計測手段を更に備える、
請求項３に記載の画像計測装置。
【請求項５】
前記基準補助線を描画する際に、前記基準補助線の始点より前記モニタ画面に表示された足立位側面画像の爪先側の領域においてのみ前記基準補助線の終点の指定を許可する描画制御手段を更に備える、
請求項１から４のいずれか一項に記載の画像計測装置。
【請求項６】
足部を側面側から撮影した足立位側面画像を保存する画像サーバ装置と、当該画像サーバ装置から取得した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離の前記線分の長さに対する割合をそれぞれ計測する画像計測装置とが通信ネットワークを介してデータ通信可能に接続された医用画像システムであって、
前記画像計測装置は、
前記モニタ画面に表示された足立位側面画像において計測用の補助線を描画する位置を指定するための操作手段と、
前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段と、
前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線及び前記基準補助線の長さに基づいて、前記基準補助線の長さに対する前記各垂直補助線の長さの割合を計測する計測手段と、
を備える医用画像システム。
【請求項７】
足部を側面側から撮影した足立位側面画像を保存する画像サーバ装置と、当該画像サーバ装置から取得した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離をそれぞれ計測する画像計測装置とが通信ネットワークを介してデータ通信可能に接続された医用画像システムであって、
前記画像計測装置は、
前記モニタ画面に表示された足立位側面画像において計測用の補助線を描画する位置を指定するための操作手段と、
前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段と、
前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線の長さを計測する計測手段と、
を備える医用画像システム。
【請求項８】
足部を側面側から撮影した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離の前記線分の長さに対する割合をそれぞれ計測するコンピュータを、
前記モニタ画面に表示された足立位側面画像において計測用の補助線を描画する位置を指定するための操作手段、
前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段、
前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線及び前記基準補助線の長さに基づいて、前記基準補助線の長さに対する前記各垂直補助線の長さの割合を計測する計測手段、
として機能させるためのプログラム。
【請求項９】
足部を側面側から撮影した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離をそれぞれ計測するコンピュータを、
前記モニタ画面に表示された足立位側面画像において計測用の補助線を描画する位置を指定するための操作手段、
前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段、
前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線の長さを計測する計測手段、
として機能させるためのプログラム。
【発明の詳細な説明】
【技術分野】
【０００１】
本発明は、画像計測装置、医用画像システム及びプログラムに関する。
【背景技術】
【０００２】
従来、整形外科等の医療分野の診断において、Ｘ線等の放射線により患者を撮影した画像が用いられている。医師は、フィルムに出力した放射線画像を観察読影するとともに、診断に用いる数値や角度を得るために放射線画像上に計測すべき位置を赤鉛筆等でマーキングし、定規や分度器等の計測器具を用いてマーキングされた位置の距離や角度等を計測する。
【０００３】
近年、医療分野においてもデジタル化が進み、病院内で生成される放射線画像は、ほとんどがデジタル画像としてワークステーション又はＰＡＣＳ（Picture Archiving and Communication System）で保存されている。デジタル画像の場合、画像をモニタ画面上に表示させ、この画面上で計測に用いる線（以下、補助線という。）を手動又は自動で指定することによって、距離や角度等の計測を自動化したり、一度引いた補助線を移動したりすることができるため、医師や放射線技師等の計測に要する負担を大幅に軽減させることが可能となった。
【０００４】
例えば、扁平足の診断には、横倉法が用いられる。扁平足は、筋、腱膜、靭帯が体重の負荷に耐えきれずに発生する場合が多く、長時間の起立、歩行を強いられる職業の人に多い。長時間の歩行や立位維持により、足底の疲労感、足関節の疼痛等の症状が現れる。
【０００５】
図１５に、足部を側面側からＸ線撮影した足立位側面画像の例を示す。図１５において左側が踵側に相当し、図１５において右側が爪先側に相当する。横倉法により扁平足の診断を行う際には、まず、足立位側面画像をモニタ画面に表示させ、モニタ画面上で足立位側面画像中の内側種子骨の下縁位置Ｐと踵骨隆起端位置Ｑとを結ぶ基準補助線Ｌ１を引き、距骨と舟状骨の関節の中点位置Ｃ、舟状骨と楔状骨の関節の中点位置Ｎ、楔状骨と中足骨の関節の中点位置Ｌ、踵立方関節の前下端位置ｆ、立方骨の下縁位置ｂ、第五中足骨の下縁位置ｍのそれぞれを一端とし、基準補助線Ｌ１上の点を他端とする、基準補助線Ｌ１に垂直な垂直補助線Ｌ２，Ｌ３，Ｌ４，Ｌ５，Ｌ６，Ｌ７を引く。
【０００６】
そして、垂直補助線Ｌ２，Ｌ３，Ｌ４，Ｌ５，Ｌ６，Ｌ７の長さ（すなわち、距骨と舟状骨の関節の中点位置Ｃ、舟状骨と楔状骨の関節の中点位置Ｎ、楔状骨と中足骨の関節の中点位置Ｌ、踵立方関節の前下端位置ｆ、立方骨の下縁位置ｂ、第五中足骨の下縁位置ｍの各点から基準補助線Ｌ１までの距離）ＤＣ，ＤＮ，ＤＬ，Ｄｆ，Ｄｂ，Ｄｍ、及び、基準補助線Ｌ１の長さＹｓに対する各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍの割合Ｃｙ，Ｎｙ，Ｌｙ，ｆｙ，ｂｙ，ｍｙ（％）をそれぞれ計測する。
Ｃｙ＝（ＤＣ／Ｙｓ）×１００（％）
Ｎｙ＝（ＤＮ／Ｙｓ）×１００（％）
Ｌｙ＝（ＤＬ／Ｙｓ）×１００（％）
ｆｙ＝（Ｄｆ／Ｙｓ）×１００（％）
ｂｙ＝（Ｄｂ／Ｙｓ）×１００（％）
ｍｙ＝（Ｄｍ／Ｙｓ）×１００（％）
【０００７】
また、医用画像から診断に用いるための特徴を示す角度を計測する場合には、角度を形成する２直線の位置を指定する必要がある。描画した２直線の位置を後から調整する際に、一対（ペア）でのみ調整を許可することとすると、一方の直線だけを引き直したり、移動させたりすることができない。そこで、表示部に表示された医用画像上に複数の直線を描画し、描画した２本の直線間の角度を計測する画像計測装置において、描画された各直線を独立して変更・編集・削除することができる技術が提案されている（特許文献１参照）。
【特許文献１】特開２００６−１９２１０４号公報
【発明の開示】
【発明が解決しようとする課題】
【０００８】
しかし、上述したように、モニタ画面上では、描画した補助線を容易に移動させることができるため、足立位側面画像上に引いた各垂直補助線の位置関係が変わるような移動を行った場合に、垂直補助線と計測対象との対応関係、すなわち、計測されたＤＣ，ＤＮ，ＤＬ，Ｄｆ，Ｄｂ，ＤｍやＣｙ，Ｎｙ，Ｌｙ，ｆｙ，ｂｙ，ｍｙがいずれの垂直補助線に基づいて算出されたものかを認識することが困難となる場合があった。その一例を図１６に示す。なお、同図の説明において、各部の符号は図１５を参照されたい。
【０００９】
図１６（ａ）に示すように、足立位側面画像上に内側種子骨の下縁位置Ｐと踵骨隆起端位置Ｑとを結ぶ基準補助線Ｌ１１と、距骨と舟状骨の関節の中点位置Ｃ、舟状骨と楔状骨の関節の中点位置Ｎ、楔状骨と中足骨の関節の中点位置Ｌ、踵立方関節の前下端位置ｆ、立方骨の下縁位置ｂ、第五中足骨の下縁位置ｍのそれぞれを一端とし、基準補助線Ｌ１１上の点を他端とする、基準補助線Ｌ１１に垂直な垂直補助線Ｌ１２，Ｌ１３，Ｌ１４，Ｌ１５，Ｌ１６，Ｌ１７とが描画された場合には、垂直補助線Ｌ１２の長さがＤＣとして計測され、垂直補助線Ｌ１３の長さがＤＮとして計測され、垂直補助線Ｌ１４の長さがＤＬとして計測され、垂直補助線Ｌ１５の長さがＤｆとして計測され、垂直補助線Ｌ１６の長さがＤｂとして計測され、垂直補助線Ｌ１７の長さがＤｍとして計測される。また、基準補助線Ｌ１１の長さに対する垂直補助線Ｌ１２の長さの割合（％）がＣｙとして計測され、基準補助線Ｌ１１の長さに対する垂直補助線Ｌ１３の長さの割合（％）がＮｙとして計測され、基準補助線Ｌ１１の長さに対する垂直補助線Ｌ１４の長さの割合（％）がＬｙとして計測され、基準補助線Ｌ１１の長さに対する垂直補助線Ｌ１５の長さの割合（％）がｆｙとして計測され、基準補助線Ｌ１１の長さに対する垂直補助線Ｌ１６の長さの割合（％）がｂｙとして計測され、基準補助線Ｌ１１の長さに対する垂直補助線Ｌ１７の長さの割合（％）がｍｙとして計測される。
【００１０】
その後、図１６（ｂ）に示すように、垂直補助線Ｌ１４を垂直補助線Ｌ１７，Ｌ１３，Ｌ１６より左側の領域へ移動した場合にも、垂直補助線と計測対象との対応関係は変わらないため、計測されるＤＣ，ＤＮ，ＤＬ，Ｄｆ，Ｄｂ，Ｄｍ及びＣｙ，Ｎｙ，Ｌｙ，ｆｙ，ｂｙ，ｍｙの値は変わらない。ところが、ユーザは、見た目上の並び順で判断するため、ＤＣとして計測された値が垂直補助線Ｌ１２（左から２番目の垂直補助線）の長さを示し、ＤＮとして計測された値が垂直補助線Ｌ１６（左から４番目の垂直補助線）の長さを示し、ＤＬとして計測された値が垂直補助線Ｌ１７（左から６番目の垂直補助線）の長さを示し、Ｄｆとして計測された値が垂直補助線Ｌ１５（左から１番目の垂直補助線）の長さを示し、Ｄｂとして計測された値が垂直補助線Ｌ１４（左から３番目の垂直補助線）の長さを示し、Ｄｍとして計測された値が基垂直補助線Ｌ１３（左から５番目の垂直補助線）の長さを示し、Ｃｙとして計測された値が基準補助線Ｌ１１の長さに対する垂直補助線Ｌ１２（左から２番目の垂直補助線）の長さの割合（％）を示し、Ｎｙとして計測された値が基準補助線Ｌ１１の長さに対する垂直補助線Ｌ１６（左から４番目の垂直補助線）の長さの割合（％）を示し、Ｌｙとして計測された値が基準補助線Ｌ１１の長さに対する垂直補助線Ｌ１７（左から６番目の垂直補助線）の長さの割合（％）を示し、ｆｙとして計測された値が基準補助線Ｌ１１の長さに対する垂直補助線Ｌ１５（左から１番目の垂直補助線）の長さの割合（％）を示し、ｂｙとして計測された値が基準補助線Ｌ１１の長さに対する垂直補助線Ｌ１４（左から３番目の垂直補助線）の長さの割合（％）を示し、ｍｙとして計測された値が基準補助線Ｌ１１の長さに対する垂直補助線Ｌ１３（左から５番目の垂直補助線）の長さの割合（％）を示していると誤認し、診断を誤るおそれがあった。
【００１１】
本発明は、上記の従来技術における問題に鑑みてなされたものであって、足立位側面画像の横倉法の計測における操作性を向上させるとともに、誤診を防止することを課題とする。
【課題を解決するための手段】
【００１２】
上記課題を解決するために、請求項１に記載の発明は、足部を側面側から撮影した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離の前記線分の長さに対する割合をそれぞれ計測する画像計測装置であって、前記モニタ画面に表示された足立位側面画像において計測用の補助線を描画する位置を指定するための操作手段と、前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段と、前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線及び前記基準補助線の長さに基づいて、前記基準補助線の長さに対する前記各垂直補助線の長さの割合を計測する計測手段と、を備える。
【００１３】
請求項２に記載の発明は、請求項１に記載の画像計測装置において、前記描画された各垂直補助線のうちいずれか一の垂直補助線が移動された場合に、当該移動後の各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線及び前記基準補助線の長さに基づいて、前記基準補助線の長さに対する前記各垂直補助線の長さの割合を再計測する再計測手段を更に備える。
【００１４】
請求項３に記載の発明は、足部を側面側から撮影した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離をそれぞれ計測する画像計測装置であって、前記モニタ画面に表示された足立位側面画像において計測用の補助線を描画する位置を指定するための操作手段と、前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段と、前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線の長さを計測する計測手段と、を備える。
【００１５】
請求項４に記載の発明は、請求項３に記載の画像計測装置において、前記描画された各垂直補助線のうちいずれか一の垂直補助線が移動された場合に、当該移動後の各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線の長さを再計測する再計測手段を更に備える。
【００１６】
請求項５に記載の発明は、請求項１から４のいずれか一項に記載の画像計測装置において、前記基準補助線を描画する際に、前記基準補助線の始点より前記モニタ画面に表示された足立位側面画像の爪先側の領域においてのみ前記基準補助線の終点の指定を許可する描画制御手段を更に備える。
【００１７】
請求項６に記載の発明は、足部を側面側から撮影した足立位側面画像を保存する画像サーバ装置と、当該画像サーバ装置から取得した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離の前記線分の長さに対する割合をそれぞれ計測する画像計測装置とが通信ネットワークを介してデータ通信可能に接続された医用画像システムであって、前記画像計測装置は、前記モニタ画面に表示された足立位側面画像において計測用の補助線を描画する位置を指定するための操作手段と、前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段と、前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線及び前記基準補助線の長さに基づいて、前記基準補助線の長さに対する前記各垂直補助線の長さの割合を計測する計測手段と、を備える。
【００１８】
請求項７に記載の発明は、足部を側面側から撮影した足立位側面画像を保存する画像サーバ装置と、当該画像サーバ装置から取得した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離をそれぞれ計測する画像計測装置とが通信ネットワークを介してデータ通信可能に接続された医用画像システムであって、前記画像計測装置は、前記モニタ画面に表示された足立位側面画像において計測用の補助線を描画する位置を指定するための操作手段と、前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段と、前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線の長さを計測する計測手段と、を備える。
【００１９】
請求項８に記載の発明は、足部を側面側から撮影した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離の前記線分の長さに対する割合をそれぞれ計測するコンピュータを、前記モニタ画面に表示された足立位側面画像において計測用の補助線を描画する位置を指定するための操作手段、前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段、前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線及び前記基準補助線の長さに基づいて、前記基準補助線の長さに対する前記各垂直補助線の長さの割合を計測する計測手段、として機能させるためのプログラムである。
【００２０】
請求項９に記載の発明は、足部を側面側から撮影した足立位側面画像を表示手段のモニタ画面に表示させ、当該表示された足立位側面画像中の距骨と舟状骨の関節の中点位置、舟状骨と楔状骨の関節の中点位置、楔状骨と中足骨の関節の中点位置、踵立方関節の前下端位置、立方骨の下縁位置、第五中足骨の下縁位置の各点から内側種子骨の下縁位置と踵骨隆起端位置とを結ぶ線分までの距離をそれぞれ計測するコンピュータを、前記モニタ画面に表示された足立位側面画像において計測用の補助線を描画する位置を指定するための操作手段、前記操作手段からの操作に基づいて、前記モニタ画面に表示された足立位側面画像上に前記内側種子骨の下縁位置と前記踵骨隆起端位置とを結ぶ基準補助線、及び、前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のそれぞれを一端とし前記基準補助線上の点を他端とする前記基準補助線に垂直な垂直補助線を描画する描画手段、前記描画された各垂直補助線の前記基準補助線に沿う方向における順序に基づいて、前記各垂直補助線が前記距骨と舟状骨の関節の中点位置、前記舟状骨と楔状骨の関節の中点位置、前記楔状骨と中足骨の関節の中点位置、前記踵立方関節の前下端位置、前記立方骨の下縁位置、前記第五中足骨の下縁位置のいずれを一端とする垂直補助線であるかを対応付け、当該対応付けられた各垂直補助線の長さを計測する計測手段、として機能させるためのプログラムである。
【発明の効果】
【００２１】
請求項１、６、８に記載の発明によれば、各垂直補助線を描画する際に描画順を気にする必要がないため、足立位側面画像の横倉法の計測における操作性を向上させるとともに、誤診を防止することができる。
【００２２】
請求項２に記載の発明によれば、各垂直補助線のうちいずれか一の垂直補助線が移動された場合に、各垂直補助線と部位の対応付けをし直し、基準補助線の長さに対する各垂直補助線の長さの割合を再計測することができる。
【００２３】
請求項３、７、９に記載の発明によれば、各垂直補助線を描画する際に描画順を気にする必要がないため、足立位側面画像の横倉法の計測における操作性を向上させるとともに、誤診を防止することができる。
【００２４】
請求項４に記載の発明によれば、各垂直補助線のうちいずれか一の垂直補助線が移動された場合に、各垂直補助線と部位の対応付けをし直し、各垂直補助線の長さを再計測することができる。
【００２５】
請求項５に記載の発明によれば、基準補助線を描画する向きを予め定めておくことにより、操作ミスを防ぐことができる。
【発明を実施するための最良の形態】
【００２６】
以下、図面を参照して、本発明に係る医用画像システムの一実施形態について説明する。
【００２７】
図１に、医用画像システム１００のシステム構成を示す。図１に示すように、医用画像システム１００では、ＲＩＳ（Radiological Information System：放射線情報システム）１０、モダリティ２０、画像サーバ装置３０及び画像計測装置４０が、ネットワークＮＴを介してデータ通信可能に接続されている。
【００２８】
ＲＩＳ１０は、放射線科部門内における診療予約、診断結果のレポート、実績管理、材料在庫管理等の情報管理を行う。ＲＩＳ１０は、撮影や診断の内容を示す検査オーダ情報を生成し、モダリティ２０に送信する。
【００２９】
モダリティ２０は、ＲＩＳ１０から送信された検査オーダ情報に基づいて、患者を撮影し、医用画像の画像データを生成する画像生成装置である。モダリティ２０は、画像データを画像サーバ装置３０に送信する。モダリティ２０としては、ＣＲ（Computed Radiography）装置、ＣＴ（Computed Tomography）装置、ＭＲＩ（Magnetic Resonance Imaging）装置等が用いられる。
【００３０】
画像サーバ装置３０は、ＰＡＣＳにより構成され、モダリティ２０から受信した医用画像の画像データのファイルを保存し、画像計測装置４０等の外部機器からの要求に応じて画像ファイルを提供する。
【００３１】
図２に、画像サーバ装置３０の機能的構成を示す。図２に示すように、画像サーバ装置３０は、制御部３１、操作部３２、表示部３３、通信部３４、ＲＯＭ（Read Only Memory）３５、記憶部３６を備えて構成され、各部はバス３７により接続されている。
【００３２】
制御部３１は、ＣＰＵ（Central Processing Unit）、ＲＡＭ（Random Access Memory）等から構成され、画像サーバ装置３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００３３】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００３４】
表示部３３は、ＬＣＤ（Liquid Crystal Display）により構成され、制御部３１から入力される表示データに基づいて各種画面を表示する。
【００３５】
通信部３４は、ＲＩＳ１０、モダリティ２０、画像計測装置４０等の外部機器との間でデータの送受信を行うインターフェースである。
【００３６】
ＲＯＭ３５は、不揮発性の半導体メモリ等により構成され、制御プログラム、当該プログラムの実行に必要なパラメータやファイル等を記憶している。
【００３７】
記憶部３６は、ハードディスク等により構成され、各種データを記憶する。具体的には、記憶部３６には、画像ファイル、関連情報等が記憶される。画像ファイルは、モダリティ２０から受信した医用画像の画像データのファイルである。記憶部３６には、例えば、足部を側面側から撮影した足立位側面画像の画像ファイルが保存されている。関連情報は、画像ファイルの画像に関連する情報をいい、各画像ファイルに対応付けられている。関連情報には、患者情報、検査情報等が含まれ、足立位側面画像の場合には、横倉法に基づくＤＣ，ＤＮ，ＤＬ，Ｄｆ，Ｄｂ，Ｄｍ及びＣｙ，Ｎｙ，Ｌｙ，ｆｙ，ｂｙ，ｍｙの計測結果も含まれる。以下の説明において、各部の符号は図１５を援用して説明する。
【００３８】
ＤＣは、距骨と舟状骨の関節の中点位置Ｃから内側種子骨の下縁位置Ｐと踵骨隆起端位置Ｑとを結ぶ線分までの距離であり、ＤＮは、舟状骨と楔状骨の関節の中点位置Ｎから内側種子骨の下縁位置Ｐと踵骨隆起端位置Ｑとを結ぶ線分までの距離であり、ＤＬは、楔状骨と中足骨の関節の中点位置Ｌから内側種子骨の下縁位置Ｐと踵骨隆起端位置Ｑとを結ぶ線分までの距離であり、Ｄｆは、踵立方関節の前下端位置ｆから内側種子骨の下縁位置Ｐと踵骨隆起端位置Ｑとを結ぶ線分までの距離であり、Ｄｂは、立方骨の下縁位置ｂから内側種子骨の下縁位置Ｐと踵骨隆起端位置Ｑとを結ぶ線分までの距離であり、Ｄｍは、第五中足骨の下縁位置ｍから内側種子骨の下縁位置Ｐと踵骨隆起端位置Ｑとを結ぶ線分までの距離である。
【００３９】
また、内側種子骨の下縁位置Ｐと踵骨隆起端位置Ｑとを結ぶ線分の長さをＹｓとして、Ｃｙは、Ｙｓに対するＤＣの割合（％）であり、Ｎｙは、Ｙｓに対するＤＮの割合（％）であり、Ｌｙは、Ｙｓに対するＤＬの割合（％）であり、ｆｙは、Ｙｓに対するＤｆの割合（％）であり、ｂｙは、Ｙｓに対するＤｂの割合（％）であり、ｍｙは、Ｙｓに対するＤｍの割合（％）である。
【００４０】
制御部３１は、画像計測装置４０から画像ファイルの取得要求があった場合に、要求された画像ファイルを記憶部３６から読み出し、画像計測装置４０に送信する。また、制御部３１は、画像計測装置４０から計測結果を受信した場合に、受信した計測結果を、計測対象の画像ファイルと対応付けて記憶部３６に保存する。
【００４１】
画像計測装置４０は、画像サーバ装置３０から取得した医用画像を表示させ、当該医用画像の診断に用いる数値や角度を計測するための装置であって、ＰＣ（Personal Computer）等から構成される。例えば、画像計測装置４０は、足立位側面画像においては、扁平足の診断に用いるＤＣ，ＤＮ，ＤＬ，Ｄｆ，Ｄｂ，Ｄｍ及びＣｙ，Ｎｙ，Ｌｙ，ｆｙ，ｂｙ，ｍｙの計測を行う。
【００４２】
図３に、画像計測装置４０の機能的構成を示す。図３に示すように、画像計測装置４０は、制御部４１、操作部４２、表示部４３、通信部４４、ＲＯＭ４５、記憶部４６を備え、各部はバス４７により接続されている。
【００４３】
制御部４１は、ＣＰＵ、ＲＡＭ等から構成され、画像計測装置４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００４４】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。操作部４２は、表示部４３のモニタ画面４３Ｐに表示された足立位側面画像において計測用の補助線（基準補助線Ｌ１及び垂直補助線Ｌ２〜Ｌ７。図１５参照。）を描画する位置を指定する際に用いられる。
【００４５】
表示部４３は、ＬＣＤにより構成され、制御部４１から入力される表示データに基づいて各種画面を表示する。具体的には、表示部４３は、足立位側面画像等の医用画像を表示する。
【００４６】
通信部４４は、画像サーバ装置３０等の外部機器との間でデータの送受信を行うインターフェースである。
【００４７】
ＲＯＭ４５は、不揮発性の半導体メモリ等により構成され、制御プログラム、当該プログラムの実行に必要なパラメータやファイル等を記憶している。
【００４８】
記憶部４６は、ハードディスク等により構成され、各種データを記憶する。
【００４９】
制御部４１は、通信部４４を介して、画像サーバ装置３０に対して、記憶部３６に記憶されている医用画像の画像ファイルの取得要求を送信し、画像サーバ装置３０から医用画像の画像ファイルを取得する。制御部４１は、取得した医用画像の画像ファイルに基づいて、表示部４３のモニタ画面４３Ｐに医用画像を表示させる。本実施の形態では、足立位側面画像の画像ファイルを取得し、表示部４３のモニタ画面４３Ｐに足立位側面画像を表示させる場合について説明する。
【００５０】
制御部４１は、操作部４２のマウスからの操作に基づいて、表示部４３のモニタ画面４３Ｐに表示された足立位側面画像上に内側種子骨の下縁位置Ｐと踵骨隆起端位置Ｑとを結ぶ基準補助線Ｌ１、距骨と舟状骨の関節の中点位置Ｃを一端とし基準補助線Ｌ１上の点を他端とする基準補助線Ｌ１に垂直な垂直補助線Ｌ２、舟状骨と楔状骨の関節の中点位置Ｎを一端とし基準補助線Ｌ１上の点を他端とする基準補助線Ｌ１に垂直な垂直補助線Ｌ３、楔状骨と中足骨の関節の中点位置Ｌを一端とし基準補助線Ｌ１上の点を他端とする基準補助線Ｌ１に垂直な垂直補助線Ｌ４、踵立方関節の前下端位置ｆを一端とし基準補助線Ｌ１上の点を他端とする基準補助線Ｌ１に垂直な垂直補助線Ｌ５、立方骨の下縁位置ｂを一端とし基準補助線Ｌ１上の点を他端とする基準補助線Ｌ１に垂直な垂直補助線Ｌ６、第五中足骨の下縁位置ｍを一端とし基準補助線Ｌ１上の点を他端とする基準補助線Ｌ１に垂直な垂直補助線Ｌ７を描画する。
【００５１】
ここで、描画された各垂直補助線がどの位置を示す垂直補助線であるかを対応付けるまでは、描画順に垂直補助線Ｖ１〜Ｖ６とする。
【００５２】
各補助線を描画する際に、モニタ画面４３Ｐ上で、ユーザは操作部４２から基準補助線Ｌ１の始点（１点目）及び終点（２点目）、各垂直補助線Ｖ１〜Ｖ６の上端（３点目〜８点目）を指定する。各垂直補助線Ｖ１〜Ｖ６は、基準補助線Ｌ１に垂直な線であるため、上端の位置を指定すれば、上端位置から基準補助線Ｌ１に垂線を下ろすことにより、垂直補助線Ｖ１〜Ｖ６を描画することができる。また、各補助線のうち、基準補助線Ｌ１を１番目に描画する必要があるが、各垂直補助線Ｖ１〜Ｖ６の位置を指定する順序は任意である。図４に、表示部４３のモニタ画面４３Ｐにおける座標の取り方（モニタ座標系）を示す。図４に示すように、モニタ座標系では、モニタ画面４３Ｐの右方向をＸ軸の正方向とし、モニタ画面４３Ｐの下方向をＹ軸の正方向とする。
【００５３】
制御部４１は、基準補助線Ｌ１を描画する際に、基準補助線Ｌ１の始点よりモニタ画面４３Ｐに表示された足立位側面画像の爪先側の領域においてのみ基準補助線Ｌ１の終点の指定を許可する。制御部４１は、表示部４３のモニタ画面４３Ｐの基準補助線Ｌ１の終点の指定を禁止する領域では、操作部４２のマウスによる描画位置を示す図形（マウスカーソル）を基準補助線Ｌ１の終点の指定を許可する領域における表示とは変更する。具体的には、制御部４１は、基準補助線Ｌ１の終点の指定を許可する領域では、マウスカーソルとして通常の矢印マークを表示させ、基準補助線Ｌ１の終点の指定を禁止する領域では、マウスカーソルとして禁止マーク（例えば、×マーク等）を表示させる。また、制御部４１は、表示部４３のモニタ画面４３Ｐの基準補助線Ｌ１の終点の指定を禁止する領域を、基準補助線Ｌ１の終点の指定を許可する領域とは異なる色で表示させる。
【００５４】
制御部４１は、描画された各垂直補助線Ｖ１〜Ｖ６の画像座標系における位置情報に基づいて、基準補助線Ｌ１に沿う方向で各垂直補助線Ｖ１〜Ｖ６の順序付けを行う。画像座標系とは、画像ファイルに固有の画像上における座標系をいう。具体的には、制御部４１は、基準補助線Ｌ１の踵骨隆起端位置Ｑに相当する端点を通り基準補助線Ｌ１に垂直な直線Ｅの式（ｇｘ＋ｈｙ＋ｉ＝０）を取得し、画像座標系における各垂直補助線Ｖ１〜Ｖ６の基準補助線Ｌ１上の各点の座標をそれぞれ取得し、各点の直線Ｅからの距離が小さい順に各垂直補助線Ｖ１〜Ｖ６の順序付けを行う。
【００５５】
なお、本実施の形態では、表示部４３のモニタ画面４３Ｐ上におけるモニタ座標系を（Ｘ，Ｙ）、画像ファイルに固有の画像上における画像座標系を（ｘ，ｙ）として区別する。
【００５６】
制御部４１は、各垂直補助線Ｖ１〜Ｖ６の基準補助線Ｌ１に沿う方向における順序に基づいて、各垂直補助線Ｖ１〜Ｖ６が距骨と舟状骨の関節の中点位置Ｃ、舟状骨と楔状骨の関節の中点位置Ｎ、楔状骨と中足骨の関節の中点位置Ｌ、踵立方関節の前下端位置ｆ、立方骨の下縁位置ｂ、第五中足骨の下縁位置ｍのいずれを一端とする垂直補助線であるかを対応付ける。具体的には、制御部４１は、各垂直補助線Ｖ１〜Ｖ６が順序付けられた順（直線Ｅからの距離が小さい順）に、踵立方関節の前下端位置ｆを一端とする垂直補助線Ｌ５、距骨と舟状骨の関節の中点位置Ｃを一端とする垂直補助線Ｌ２、立方骨の下縁位置ｂを一端とする垂直補助線Ｌ６、舟状骨と楔状骨の関節の中点位置Ｎを一端とする垂直補助線Ｌ３、第五中足骨の下縁位置ｍを一端とする垂直補助線Ｌ７、楔状骨と中足骨の関節の中点位置Ｌを一端とする垂直補助線Ｌ４であると対応付ける。
【００５７】
制御部４１は、対応付けられた結果に基づいて、距骨と舟状骨の関節の中点位置Ｃを一端とする垂直補助線Ｌ２の長さＤＣ、舟状骨と楔状骨の関節の中点位置Ｎを一端とする垂直補助線Ｌ３の長さＤＮ、楔状骨と中足骨の関節の中点位置Ｌを一端とする垂直補助線Ｌ４の長さＤＬ、踵立方関節の前下端位置ｆを一端とする垂直補助線Ｌ５の長さＤｆ、立方骨の下縁位置ｂを一端とする垂直補助線Ｌ６の長さＤｂ、第五中足骨の下縁位置ｍを一端とする垂直補助線Ｌ７の長さＤｍを計測する。また、制御部４１は、対応付けられた各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍ及び基準補助線Ｌ１の長さＹｓに基づいて、基準補助線Ｌ１の長さＹｓに対する各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍの割合Ｃｙ，Ｎｙ，Ｌｙ，ｆｙ，ｂｙ，ｍｙ（％）を計測する。
【００５８】
制御部４１は、描画された各垂直補助線のうちいずれか一の垂直補助線が移動された場合に、移動後の各垂直補助線の画像座標系における位置情報に基づいて、基準補助線Ｌ１に沿う方向で各垂直補助線の順序付けを行う。そして、制御部４１は、各垂直補助線の基準補助線Ｌ１に沿う方向における順序に基づいて、各垂直補助線が距骨と舟状骨の関節の中点位置Ｃ、舟状骨と楔状骨の関節の中点位置Ｎ、楔状骨と中足骨の関節の中点位置Ｌ、踵立方関節の前下端位置ｆ、立方骨の下縁位置ｂ、第五中足骨の下縁位置ｍのいずれを一端とする垂直補助線であるかを対応付ける。制御部４１は、対応付けられた結果に基づいて、各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍを再計測する。また、制御部４１は、対応付けられた各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍ及び基準補助線Ｌ１の長さＹｓに基づいて、基準補助線Ｌ１の長さＹｓに対する各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍの割合Ｃｙ，Ｎｙ，Ｌｙ，ｆｙ，ｂｙ，ｍｙ（％）を再計測する。
【００５９】
次に、動作を説明する。
図５は、画像サーバ装置３０において実行される処理を示すフローチャートである。この処理は、画像計測装置４０に対して計測対象となる医用画像を提供する処理であって、制御部３１のＣＰＵと、ＲＯＭ３５に記憶されているプログラムとの協働によるソフトウェア処理によって実現される。
【００６０】
まず、通信部３４により、画像計測装置４０から画像ファイルの取得要求が受信された場合には（ステップＳ１；ＹＥＳ）、制御部３１により、要求された画像ファイルが記憶部３６から読み出され、通信部３４を介して画像計測装置４０に送信される（ステップＳ２）。
【００６１】
次に、通信部３４により、画像計測装置４０から計測結果が受信された場合には（ステップＳ３；ＹＥＳ）、制御部３１により、受信した計測結果が、計測対象の画像ファイルと対応付けられて記憶部３６に保存される（ステップＳ４）。
以上で、画像サーバ装置３０における処理が終了する。
【００６２】
図６、図７及び図８は、画像計測装置４０において実行される処理を示すフローチャートである。この処理は、制御部４１のＣＰＵと、ＲＯＭ４５に記憶されているプログラムとの協働によるソフトウェア処理によって実現される。また、図９、図１０、図１１及び図１２に、表示部４３に表示される画面例を示す。図９及び図１０は、足の踵側がモニタ画面４３Ｐの左側に相当し、爪先側がモニタ画面４３Ｐの右側に相当する場合（右向き）の例であり、図１１及び図１２は、足の踵側がモニタ画面４３Ｐの右側に相当し、爪先側がモニタ画面４３Ｐの左側に相当する場合（左向き）の例である。
【００６３】
図６に示すように、まず、操作部４２からの操作により、計測対象となる足立位側面画像の画像ファイルが選択され、制御部４１の制御に従って、通信部４４により、画像サーバ装置３０に対して、選択された足立位側面画像の画像ファイルの取得要求が送信される。そして、制御部４１により、通信部４４を介して、画像サーバ装置３０から足立位側面画像の画像ファイルが取得される（ステップＳ１１）。
【００６４】
次に、制御部４１により、取得された足立位側面画像の画像ファイルに基づいて、表示部４３のモニタ画面４３Ｐに足立位側面画像が表示される（ステップＳ１２）。
【００６５】
次に、制御部４１により、操作部４２のマウスの位置に対応する表示部４３のモニタ画面４３Ｐ上の座標を（Ｘｍ，Ｙｍ）とする割り当て処理が行われる（ステップＳ１３）。
【００６６】
次に、図９（ａ）、図１１（ａ）に示すように、踵骨隆起端位置ＱにマウスカーソルＭＣが置かれた状態でユーザにより操作部４２のマウスボタンが押下され、基準補助線Ｌ１の始点位置が指定されると、制御部４１により、マウスボタンが押下された位置のマウス座標（Ｘｍ，Ｙｍ）が取得され、１点目の座標（Ｘ１，Ｙ１）がＸ１＝Ｘｍ、Ｙ１＝Ｙｍと決定される（ステップＳ１４）。なお、図９（ａ）、図１１（ａ）には足立位側面画像を破線で示したが、以下の図では省略する。
【００６７】
次に、制御部４１により、足立位側面画像の足の爪先の向きが右向きであるか否かが判断される（ステップＳ１５）。ここで、足立位側面画像を解析することにより足の向きが判断されることとしてもよいし、ユーザの操作部４２からの操作により足の向きが指定されることとしてもよい。
【００６８】
足立位側面画像の足の爪先の向きが右向きである場合には（ステップＳ１５；ＹＥＳ）、制御部４１により、操作部４２のマウスの位置に対応する表示部４３のモニタ画面４３Ｐ上の位置のＸ座標Ｘｍが１点目のＸ座標Ｘ１より大きいか否かが判断される（ステップＳ１６）。マウス位置のＸ座標Ｘｍが１点目のＸ座標Ｘ１以下の場合（ステップＳ１６；ＮＯ）、すなわち、図９（ｂ）に示す領域Ａ１にマウスカーソルＭＣがある場合には、制御部４１により、表示部４３のモニタ画面４３Ｐに表示されているマウスカーソルＭＣが禁止マーク（例えば、×マーク等）に変更され（ステップＳ１７）、基準補助線Ｌ１の終点の指定が禁止される。また、制御部４１により、領域Ａ１はモニタ画面４３Ｐの他の領域（基準補助線Ｌ１の終点の指定を許可する領域）と異なる色で表示される。この場合、足立位側面画像は見えるように、領域Ａ１に彩色する際には半透明表示を用いる。
【００６９】
一方、マウス位置のＸ座標Ｘｍが１点目のＸ座標Ｘ１より大きい場合には（ステップＳ１６；ＹＥＳ）、マウスカーソルＭＣは通常どおり矢印マークで表示され、基準補助線Ｌ１の終点の指定が許可される。図９（ｂ）に示すように、内側種子骨の下縁位置ＰにマウスカーソルＭＣが置かれた状態でユーザにより操作部４２のマウスボタンが押下され、基準補助線Ｌ１の終点位置が指定されると、制御部４１により、マウスボタンが押下された位置のマウス座標（Ｘｍ，Ｙｍ）が取得され、２点目の座標（Ｘ２，Ｙ２）がＸ２＝Ｘｍ、Ｙ２＝Ｙｍと決定される（ステップＳ２０）。
【００７０】
ステップＳ１５において、足立位側面画像の足の爪先の向きが左向きである場合には（ステップＳ１５；ＮＯ）、制御部４１により、操作部４２のマウスの位置に対応する表示部４３のモニタ画面４３Ｐ上の位置のＸ座標Ｘｍが１点目のＸ座標Ｘ１より小さいか否かが判断される（ステップＳ１８）。マウス位置のＸ座標Ｘｍが１点目のＸ座標Ｘ１以上の場合（ステップＳ１８；ＮＯ）、すなわち、図１１（ｂ）に示す領域Ａ２にマウスカーソルＭＣがある場合には、制御部４１により、表示部４３のモニタ画面４３Ｐに表示されているマウスカーソルＭＣが禁止マーク（例えば、×マーク等）に変更され（ステップＳ１９）、基準補助線Ｌ１の終点の指定が禁止される。また、制御部４１により、領域Ａ２はモニタ画面４３Ｐの他の領域（基準補助線Ｌ１の終点の指定を許可する領域）と異なる色で表示される。この場合、足立位側面画像は見えるように、領域Ａ２に彩色する際には半透明表示を用いる。
【００７１】
一方、マウス位置のＸ座標Ｘｍが１点目のＸ座標Ｘ１より小さい場合には（ステップＳ１８；ＹＥＳ）、マウスカーソルＭＣは通常どおり矢印マークで表示され、基準補助線Ｌ１の終点の指定が許可される。図１１（ｂ）に示すように、内側種子骨の下縁位置ＰにマウスカーソルＭＣが置かれた状態でユーザにより操作部４２のマウスボタンが押下され、基準補助線Ｌ１の終点位置が指定されると、制御部４１により、マウスボタンが押下された位置のマウス座標（Ｘｍ，Ｙｍ）が取得され、２点目の座標（Ｘ２，Ｙ２）がＸ２＝Ｘｍ、Ｙ２＝Ｙｍと決定される（ステップＳ２０）。
【００７２】
次に、制御部４１により、表示部４３のモニタ画面４３Ｐに表示されている足立位側面画像上に、１点目の座標（Ｘ１，Ｙ１）を画像座標系に変換した座標と、２点目の座標（Ｘ２，Ｙ２）を画像座標系に変換した座標とを結ぶ基準補助線Ｌ１が描画される（ステップＳ２１）。
【００７３】
次に、図７に移り、図９（ｃ）、図１１（ｃ）に示すように、いずれかの垂直補助線Ｖ１の上端となる位置にマウスカーソルＭＣが置かれた状態でユーザにより操作部４２のマウスボタンが押下され、垂直補助線Ｖ１の上端位置が指定されると、制御部４１により、マウスボタンが押下された位置のマウス座標（Ｘｍ，Ｙｍ）が取得され、３点目の座標（Ｘ３，Ｙ３）がＸ３＝Ｘｍ、Ｙ３＝Ｙｍと決定される（ステップＳ２２）。そして、制御部４１により、表示部４３のモニタ画面４３Ｐに表示されている足立位側面画像上に、３点目の座標（Ｘ３，Ｙ３）を画像座標系に変換した座標を一端（上端）とし、基準補助線Ｌ１上の点を他端（下端）とする、基準補助線Ｌ１に垂直な垂直補助線Ｖ１が描画される（ステップＳ２３）。図９（ｃ）は、踵立方関節の前下端位置ｆを一端とする垂直補助線Ｌ５が描画された場合の例であり、図１１（ｃ）は、楔状骨と中足骨の関節の中点位置Ｌを一端とする垂直補助線Ｌ４が描画された場合の例である。
【００７４】
次に、図９（ｄ）、図１１（ｄ）に示すように、いずれかの垂直補助線Ｖ２の上端となる位置にマウスカーソルＭＣが置かれた状態でユーザにより操作部４２のマウスボタンが押下され、垂直補助線Ｖ２の上端位置が指定されると、制御部４１により、マウスボタンが押下された位置のマウス座標（Ｘｍ，Ｙｍ）が取得され、４点目の座標（Ｘ４，Ｙ４）がＸ４＝Ｘｍ、Ｙ４＝Ｙｍと決定される（ステップＳ２４）。そして、制御部４１により、表示部４３のモニタ画面４３Ｐに表示されている足立位側面画像上に、４点目の座標（Ｘ４，Ｙ４）を画像座標系に変換した座標を一端（上端）とし、基準補助線Ｌ１上の点を他端（下端）とする、基準補助線Ｌ１に垂直な垂直補助線Ｖ２が描画される（ステップＳ２５）。図９（ｄ）は、楔状骨と中足骨の関節の中点位置Ｌを一端とする垂直補助線Ｌ４が描画された場合の例であり、図１１（ｄ）は、踵立方関節の前下端位置ｆを一端とする垂直補助線Ｌ５が描画された場合の例である。
【００７５】
次に、図１０（ａ）、図１２（ａ）に示すように、いずれかの垂直補助線Ｖ３の上端となる位置にマウスカーソルＭＣが置かれた状態でユーザにより操作部４２のマウスボタンが押下され、垂直補助線Ｖ３の上端位置が指定されると、制御部４１により、マウスボタンが押下された位置のマウス座標（Ｘｍ，Ｙｍ）が取得され、５点目の座標（Ｘ５，Ｙ５）がＸ５＝Ｘｍ、Ｙ５＝Ｙｍと決定される（ステップＳ２６）。そして、制御部４１により、表示部４３のモニタ画面４３Ｐに表示されている足立位側面画像上に、５点目の座標（Ｘ５，Ｙ５）を画像座標系に変換した座標を一端（上端）とし、基準補助線Ｌ１上の点を他端（下端）とする、基準補助線Ｌ１に垂直な垂直補助線Ｖ３が描画される（ステップＳ２７）。図１０（ａ）は、距骨と舟状骨の関節の中点位置Ｃを一端とする垂直補助線Ｌ２が描画された場合の例であり、図１２（ａ）は、第五中足骨の下縁位置ｍを一端とする垂直補助線Ｌ７が描画された場合の例である。
【００７６】
次に、図１０（ｂ）、図１２（ｂ）に示すように、いずれかの垂直補助線Ｖ４の上端となる位置にマウスカーソルＭＣが置かれた状態でユーザにより操作部４２のマウスボタンが押下され、垂直補助線Ｖ４の上端位置が指定されると、制御部４１により、マウスボタンが押下された位置のマウス座標（Ｘｍ，Ｙｍ）が取得され、６点目の座標（Ｘ６，Ｙ６）がＸ６＝Ｘｍ、Ｙ６＝Ｙｍと決定される（ステップＳ２８）。そして、制御部４１により、表示部４３のモニタ画面４３Ｐに表示されている足立位側面画像上に、６点目の座標（Ｘ６，Ｙ６）を画像座標系に変換した座標を一端（上端）とし、基準補助線Ｌ１上の点を他端（下端）とする、基準補助線Ｌ１に垂直な垂直補助線Ｖ４が描画される（ステップＳ２９）。図１０（ｂ）は、第五中足骨の下縁位置ｍを一端とする垂直補助線Ｌ７が描画された場合の例であり、図１２（ｂ）は、距骨と舟状骨の関節の中点位置Ｃを一端とする垂直補助線Ｌ２が描画された場合の例である。
【００７７】
次に、図１０（ｃ）、図１２（ｃ）に示すように、いずれかの垂直補助線Ｖ５の上端となる位置にマウスカーソルＭＣが置かれた状態でユーザにより操作部４２のマウスボタンが押下され、垂直補助線Ｖ５の上端位置が指定されると、制御部４１により、マウスボタンが押下された位置のマウス座標（Ｘｍ，Ｙｍ）が取得され、７点目の座標（Ｘ７，Ｙ７）がＸ７＝Ｘｍ、Ｙ７＝Ｙｍと決定される（ステップＳ３０）。そして、制御部４１により、表示部４３のモニタ画面４３Ｐに表示されている足立位側面画像上に、７点目の座標（Ｘ７，Ｙ７）を画像座標系に変換した座標を一端（上端）とし、基準補助線Ｌ１上の点を他端（下端）とする、基準補助線Ｌ１に垂直な垂直補助線Ｖ５が描画される（ステップＳ３１）。図１０（ｃ）は、立方骨の下縁位置ｂを一端とする垂直補助線Ｌ６が描画された場合の例であり、図１２（ｃ）は、舟状骨と楔状骨の関節の中点位置Ｎを一端とする垂直補助線Ｌ３が描画された場合の例である。
【００７８】
次に、図１０（ｄ）、図１２（ｄ）に示すように、いずれかの垂直補助線Ｖ６の上端となる位置にマウスカーソルＭＣが置かれた状態でユーザにより操作部４２のマウスボタンが押下され、垂直補助線Ｖ６の上端位置が指定されると、制御部４１により、マウスボタンが押下された位置のマウス座標（Ｘｍ，Ｙｍ）が取得され、８点目の座標（Ｘ８，Ｙ８）がＸ８＝Ｘｍ、Ｙ８＝Ｙｍと決定される（ステップＳ３２）。そして、制御部４１により、表示部４３のモニタ画面４３Ｐに表示されている足立位側面画像上に、８点目の座標（Ｘ８，Ｙ８）を画像座標系に変換した座標を一端（上端）とし、基準補助線Ｌ１上の点を他端（下端）とする、基準補助線Ｌ１に垂直な垂直補助線Ｖ６が描画される（ステップＳ３３）。図１０（ｄ）は、舟状骨と楔状骨の関節の中点位置Ｎを一端とする垂直補助線Ｌ３が描画された場合の例であり、図１２（ｄ）は、立方骨の下縁位置ｂを一端とする垂直補助線Ｌ６が描画された場合の例である。
【００７９】
次に、図８に移り、制御部４１により、図１３、図１４に示すように、１点目のモニタ座標（Ｘ１，Ｙ１）を画像座標系に変換した座標（基準補助線Ｌ１の踵骨隆起端位置Ｑに相当する端点）を通り、基準補助線Ｌ１に垂直な直線Ｅの式（ｇｘ＋ｈｙ＋ｉ＝０）が取得される（ステップＳ３４）。直線Ｅの式は画像座標系で表されている。図１３は、足の踵側がモニタ画面４３Ｐの左側に相当し、爪先側がモニタ画面４３Ｐの右側に相当する場合（右向き）の例であり、図１４は、足の踵側がモニタ画面４３Ｐの右側に相当し、爪先側がモニタ画面４３Ｐの左側に相当する場合（左向き）の例である。なお、図１３、図１４に示す垂直補助線Ｖ１〜Ｖ６は一例であり、実際の描画順は任意である。
【００８０】
次に、制御部４１により、画像座標系における各垂直補助線Ｖ１〜Ｖ６の基準補助線Ｌ１上の各点の座標（３点目〜８点目からそれぞれ基準補助線Ｌ１に下ろした垂線の足の座標）が取得される（ステップＳ３５）。
【００８１】
次に、制御部４１により、取得された各座標に基づいて、直線Ｅからの距離が小さい順に各垂直補助線Ｖ１〜Ｖ６の順序付けが行われ、直線Ｅからの距離が小さい順に、踵立方関節の前下端位置ｆを一端とする垂直補助線Ｌ５、距骨と舟状骨の関節の中点位置Ｃを一端とする垂直補助線Ｌ２、立方骨の下縁位置ｂを一端とする垂直補助線Ｌ６、舟状骨と楔状骨の関節の中点位置Ｎを一端とする垂直補助線Ｌ３、第五中足骨の下縁位置ｍを一端とする垂直補助線Ｌ７、楔状骨と中足骨の関節の中点位置Ｌを一端とする垂直補助線Ｌ４であると対応付けられる（ステップＳ３６）。
【００８２】
次に、制御部４１により、対応付けられた結果に基づいて、対応付けられた各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍ、及び、基準補助線Ｌ１の長さＹｓに対する各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍの割合Ｃｙ，Ｎｙ，Ｌｙ，ｆｙ，ｂｙ，ｍｙ（％）が計測される（ステップＳ３７）。
【００８３】
次に、制御部４１により、表示部４３のモニタ画面４３Ｐに計測結果が表示される（ステップＳ３８）。具体的には、各補助線とともに、ＤＣ，ＤＮ，ＤＬ，Ｄｆ，Ｄｂ，Ｄｍ及びＣｙ，Ｎｙ，Ｌｙ，ｆｙ，ｂｙ，ｍｙの値が表示される。
【００８４】
ここで、制御部４１により、操作部４２からの操作に基づいて、表示部４３のモニタ画面４３Ｐに表示されている足立位側面画像上の各垂直補助線のうちいずれか一の垂直補助線が移動されたか否かが判断される（ステップＳ３９）。具体的には、移動すべき垂直補助線上にマウスカーソルが置かれた状態でユーザにより操作部４２のマウスボタンが押下され（垂直補助線の選択）、押下したまま移動先の位置でマウスボタンが離されると（移動後の垂直補助線の位置決定）、垂直補助線が移動される。
【００８５】
操作部４２からの操作により、各垂直補助線のうちいずれか一の垂直補助線が移動された場合には（ステップＳ３９；ＹＥＳ）、制御部４１により、ステップＳ３５〜ステップＳ３８の処理が繰り返される。すなわち、制御部４１により、画像座標系における各垂直補助線の基準補助線Ｌ１上の各点の座標が新たに取得され（ステップＳ３５）、取得された各座標に基づいて、直線Ｅからの距離が小さい順に踵立方関節の前下端位置ｆ、距骨と舟状骨の関節の中点位置Ｃ、立方骨の下縁位置ｂ、舟状骨と楔状骨の関節の中点位置Ｎ、第五中足骨の下縁位置ｍ、楔状骨と中足骨の関節の中点位置Ｌを一端とする垂直補助線であると対応付けられる（ステップＳ３６）。
【００８６】
そして、制御部４１により、対応付けられた結果に基づいて、対応付けられた各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍ、及び、基準補助線Ｌ１の長さＹｓに対する各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍの割合Ｃｙ，Ｎｙ，Ｌｙ，ｆｙ，ｂｙ，ｍｙ（％）が再計測される（ステップＳ３７）。次に、制御部４１により、表示部４３のモニタ画面４３Ｐに再計測された結果が表示される（ステップＳ３８）。
【００８７】
ステップＳ３９において、表示部４３のモニタ画面４３Ｐに表示されている足立位側面画像上の各垂直補助線のうちいずれか一の垂直補助線の移動がない場合には（ステップＳ３９；ＮＯ）、制御部４１により、計測結果を保存するか否かが判断される（ステップＳ４０）。例えば、操作部４２からの操作により、表示部４３のモニタ画面４３Ｐ上で保存ボタンが選択された場合には、計測結果が保存される。
【００８８】
計測結果を保存する場合には（ステップＳ４０；ＹＥＳ）、制御部４１により、描画された各補助線の始点及び終点を示す座標の値（画像座標系）とともに、計測結果（ＤＣ，ＤＮ，ＤＬ，Ｄｆ，Ｄｂ，Ｄｍ及びＣｙ，Ｎｙ，Ｌｙ，ｆｙ，ｂｙ，ｍｙ）が画像サーバ装置３０に送信される（ステップＳ４１）。計測結果を保存しない場合には（ステップＳ４０；ＮＯ）、そのまま処理が終了する。
以上で、画像計測装置４０における処理が終了する。
【００８９】
以上説明したように、画像計測装置４０によれば、描画された各垂直補助線Ｖ１〜Ｖ６の基準補助線Ｌ１に沿う方向における順序に基づいて、各垂直補助線Ｖ１〜Ｖ６が距骨と舟状骨の関節の中点位置Ｃ、舟状骨と楔状骨の関節の中点位置Ｎ、楔状骨と中足骨の関節の中点位置Ｌ、踵立方関節の前下端位置ｆ、立方骨の下縁位置ｂ、第五中足骨の下縁位置ｍのいずれを一端とする垂直補助線であるかを対応付け、各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍ、及び、基準補助線Ｌ１の長さＹｓに対する各垂直補助線Ｌ２，Ｌ３，Ｌ４，Ｌ５，Ｌ６，Ｌ７の長さＤＣ，ＤＮ，ＤＬ，Ｄｆ，Ｄｂ，Ｄｍの割合Ｃｙ，Ｎｙ，Ｌｙ，ｆｙ，ｂｙ，ｍｙ（％）を計測するので、各垂直補助線を描画する際に描画順を気にする必要がなく、任意の順序で各垂直補助線の描画位置を指定することができる。したがって、足立位側面画像の横倉法の計測における操作性を向上させるとともに、誤診を防止することができる。
【００９０】
また、描画された各垂直補助線のうちいずれか一の垂直補助線が移動された場合に、各垂直補助線と部位の対応付けをし直し、ＤＣ，ＤＮ，ＤＬ，Ｄｆ，Ｄｂ，Ｄｍ及びＣｙ，Ｎｙ，Ｌｙ，ｆｙ，ｂｙ，ｍｙを再計測することができる。
【００９１】
また、基準補助線Ｌ１を描画する向きを予め定めておくことにより、操作ミスを防ぐことができる。
【００９２】
なお、上記実施の形態における記述は、本発明に係る医用画像システムの一例であり、これに限定されるものではない。システムを構成する各装置の細部構成及び細部動作に関しても適宜変更可能である。
【００９３】
例えば、上記実施の形態では、垂直補助線の移動があった場合に、必ずＤＣ，ＤＮ，ＤＬ，Ｄｆ，Ｄｂ，Ｄｍ及びＣｙ，Ｎｙ，Ｌｙ，ｆｙ，ｂｙ，ｍｙを再計測することとしたが、基準補助線Ｌ１に沿う方向における各垂直補助線の位置関係が変更された場合（一の垂直補助線が他の垂直補助線を越えた場合）にのみ、ＤＣ，ＤＮ，ＤＬ，Ｄｆ，Ｄｂ，Ｄｍ及びＣｙ，Ｎｙ，Ｌｙ，ｆｙ，ｂｙ，ｍｙを再計測することとしてもよい。
【００９４】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【図面の簡単な説明】
【００９５】
【図１】本発明の実施の形態における医用画像システムのシステム構成図である。
【図２】画像サーバ装置の機能的構成を示すブロック図である。
【図３】画像計測装置の機能的構成を示すブロック図である。
【図４】モニタ画面における座標の取り方を示す図である。
【図５】画像サーバ装置において実行される処理を示すフローチャートである。
【図６】画像計測装置において実行される処理を示すフローチャートである。
【図７】画像計測装置において実行される処理を示すフローチャートである。
【図８】画像計測装置において実行される処理を示すフローチャートである。
【図９】（ａ）は、足が右向きの場合の基準補助線の始点を指定する際の画面例である。（ｂ）は、足が右向きの場合の基準補助線の終点を指定する際の画面例である。（ｃ）は、足が右向きの場合の垂直補助線の上端を指定する際の画面例である。（ｄ）は、足が右向きの場合の垂直補助線の上端を指定する際の画面例である。
【図１０】（ａ）は、足が右向きの場合の垂直補助線の上端を指定する際の画面例である。（ｂ）は、足が右向きの場合の垂直補助線の上端を指定する際の画面例である。（ｃ）は、足が右向きの場合の垂直補助線の上端を指定する際の画面例である。（ｄ）は、足が右向きの場合の垂直補助線の上端を指定する際の画面例である。
【図１１】（ａ）は、足が左向きの場合の基準補助線の始点を指定する際の画面例である。（ｂ）は、足が左向きの場合の基準補助線の終点を指定する際の画面例である。（ｃ）は、足が左向きの場合の垂直補助線の上端を指定する際の画面例である。（ｄ）は、足が左向きの場合の垂直補助線の上端を指定する際の画面例である。
【図１２】（ａ）は、足が左向きの場合の垂直補助線の上端を指定する際の画面例である。（ｂ）は、足が左向きの場合の垂直補助線の上端を指定する際の画面例である。（ｃ）は、足が左向きの場合の垂直補助線の上端を指定する際の画面例である。（ｄ）は、足が左向きの場合の垂直補助線の上端を指定する際の画面例である。
【図１３】足が右向きの場合の基準補助線の踵骨隆起端位置に相当する端点を通り基準補助線に垂直な直線を説明するための図である。
【図１４】足が左向きの場合の基準補助線の踵骨隆起端位置に相当する端点を通り基準補助線に垂直な直線を説明するための図である。
【図１５】横倉法における計測方法を説明するための図である。
【図１６】従来における問題点を説明するための図である。
【符号の説明】
【００９６】
１０  ＲＩＳ
２０  モダリティ
３０  画像サーバ装置
３１  制御部
３２  操作部
３３  表示部
３４  通信部
３５  ＲＯＭ
３６  記憶部
３７  バス
４０  画像計測装置
４１  制御部
４２  操作部
４３  表示部
４４  通信部
４５  ＲＯＭ
４６  記憶部
４７  バス
１００  医用画像システム
Ｐ  内側種子骨の下縁位置
Ｑ  踵骨隆起端位置
Ｃ  距骨と舟状骨の関節の中点位置
Ｎ  舟状骨と楔状骨の関節の中点位置
Ｌ  楔状骨と中足骨の関節の中点位置
ｆ  踵立方関節の前下端位置
ｂ  立方骨の下縁位置
ｍ  第五中足骨の下縁位置
ＮＴ  ネットワーク
ＭＣ  マウスカーソル
【図１】
2009219764.tif 000003
【図２】
2009219764.tif 000004
【図３】
2009219764.tif 000005
【図４】
2009219764.tif 000006
【図５】
2009219764.tif 000007
【図６】
2009219764.tif 000008
【図７】
2009219764.tif 000009
【図８】
2009219764.tif 000010
【図９】
2009219764.tif 000011
【図１０】
2009219764.tif 000012
【図１１】
2009219764.tif 000013
【図１２】
2009219764.tif 000014
【図１３】
2009219764.tif 000015
【図１４】
2009219764.tif 000016
【図１５】
2009219764.tif 000017
【図１６】
2009219764.tif 000018